(57)【特許請求の範囲】
【請求項１】
温水暖房機を通信ケーブルを介して通信可能に接続するための接続端子を複数個有する通信接続手段と、通信ケーブルを介して該接続端子と接続された温水暖房機に温水供給管を介して温水を供給する温水供給手段とを有する熱源機と、該熱源機と通信可能なリモコンとを備えた温水供給装置において、
前記複数個の接続端子のうちの少なくとも２個を、前記リモコンの所定操作に応じて温水暖房機を連動して作動させるための連動用接続端子とし、
前記熱源機は、前記リモコンの所定操作に応じて前記リモコンから連動運転の開始指示信号を受信したときに、前記連動用接続端子と通信ケーブルを介して接続された温水暖房機に対して暖房運転の開始指示信号を送信する連動運転指示手段を備えたことを特徴とする温水供給装置。
【請求項２】
前記複数の接続端子のうちの少なくとも１個を前記連動用接続端子とし、他の接続端子を一定の順序をもって配置して、該一定の順序をもって配置された接続端子のうち、通信ケーブルを介して前記温水暖房機が接続された最も先頭側の接続端子を前記連動用接続端子としたことを特徴とする請求項１記載の温水供給装置。
【請求項３】
前記複数の接続端子を一定の順序をもって配置し、通信ケーブルを介して前記温水暖房機が接続された接続端子のうち、最も先頭側の接続端子から間隔を空けることなく前記順序で連続した接続端子までを前記連動用接続端子としたことを特徴とする請求項１記載の温水供給装置。
【請求項４】
前記接続端子に通信ケーブルを介して接続された温水暖房機との通信により、該温水暖房機の種類が前記リモコンの所定操作に応じて連動して作動させる対象となる特定種類であるか否かを判別する暖房機種類判別手段を備え、
前記連動運転指示手段は、前記暖房機種類判別手段により、前記連動用接続端子に通信ケーブルを介して接続された温水暖房機の種類が前記特定種類であると判別されたときにのみ、該温水暖房機に対して前記暖房運転の開始指示信号を送信することを特徴とする請求項１から請求項３のうちいずれか１項記載の温水供給装置。
【請求項５】
前記接続端子に通信ケーブルを介して接続された温水暖房機との通信により、該温水暖房機の種類が前記リモコンの所定操作に応じて連動して作動させる対象となる特定種類であるか否かを判別する暖房機種類判別手段を備え、
前記複数の接続端子のうちの少なくとも１個を前記連動用接続端子とし、他の接続端子を一定の順序をもって配置して、該一定の順序をもって配置された接続端子のうち、前記暖房機種類判別手段により前記特定種類であると判別された温水暖房機が接続された接続端子の中で、最も先頭側の接続端子を前記連動用接続端子としたことを特徴とする請求項１記載の温水供給装置。
【請求項６】
前記接続端子に通信ケーブルを介して接続された温水暖房機との通信により、該温水暖房機の種類が前記リモコンの所定操作に応じて連動して作動させる対象となる特定種類であるか否かを判別する暖房機種類判別手段を備え、
前記複数の接続端子を一定の順序をもって配置し、前記暖房機種類判別手段により前記特定種類であると判別された温水暖房機が接続された接続端子のうち、最も先頭側の接続端子から間隔を空けることなく前記順序で連続した接続端子までを前記連動用接続端子としたことを特徴とする請求項１記載の温水供給装置。
【発明の詳細な説明】
【０００１】
【発明の属する技術分野】
本発明は、リモコンの操作に応じて複数の温水式の暖房機を連動して作動させる機能を有する温水供給装置に関する。
【０００２】
【従来の技術】
熱源機から供給される温水を熱源として室内を暖房する温水式の温風暖房機や床暖房機が広く普及している。そして、浴室内に設置されて熱源機から温水が供給される温水式の浴室暖房機においては、浴室内に設けられた風呂リモコンの操作に応じて暖房運転を開始するようにしたものが知られている。
【０００３】
このように、風呂リモコンの操作に応じて浴室暖房機の暖房運転を開始する仕様としては、例えば、風呂リモコンに暖房スイッチを設けて、該暖房スイッチが操作されたときに浴室暖房機の暖房運転を開始するようにしたものが知られている。また、風呂リモコンの自動湯張りスイッチや追焚きスイッチの操作に応じて、浴室暖房機の暖房運転を開始するようにしたものも知られている。
【０００４】
そして、近年、住宅設備に対する使用者の要求は多様化しており、例えば浴室のみならず脱衣室にも温水式の暖房機を設けて浴室暖房機と連動して作動させる仕様や、浴室内に温水式の温風暖房機と床暖房機を併設して連動させる仕様も求められている。
【０００５】
そのため、温水式の暖房機の施工現場においては、このように多様化する使用者の要求に応じて、リモコンの操作に応じて連動して作動させる温水暖房機の台数を容易に設定できることが望まれている。
【０００６】
【発明が解決しようとする課題】
本発明は上記背景を鑑みてなされたものであり、リモコンの所定操作に応じて連動して作動させる温水暖房機の台数を容易に設定することができる温水供給装置を提供することを目的とする。
【０００７】
【課題を解決するための手段】
本発明は上記目的を達成するためになされたものであり、温水暖房機を通信ケーブルを介して通信可能に接続するための接続端子を複数個有する通信接続手段と、通信ケーブルを介して該接続端子と接続された温水暖房機に温水供給管を介して温水を供給する温水供給手段とを有する熱源機と、該熱源機と通信可能なリモコンとを備えた温水供給装置の改良に関する。
【０００８】
そして、前記複数個の接続端子のうちの少なくとも２個を、前記リモコンの所定操作に応じて温水暖房機を連動して作動させるための連動用接続端子とし、前記熱源機は、前記リモコンの所定操作に応じて前記リモコンから連動運転の開始指示信号を受信したときに、前記連動用接続端子と通信ケーブルを介して接続された温水暖房機に対して暖房運転の開始指示信号を送信する連動運転指示手段を備えたことを特徴とする。
【０００９】
かかる本発明によれば、温水暖房機の設置作業者は、前記リモコンの所定操作に応じて連動して作動させる温水暖房機を通信ケーブルを介して前記連動用接続端子と接続する。また、温水暖房機の設置作業者は、前記リモコンの所定操作に依らずに作動させる温水暖房機を通信ケーブルを介して前記連動用接続端子以外の接続端子に接続する。これにより、各温水暖房機を前記リモコンの所定操作に応じて連動して作動させるか否かを容易に設定することができる。この場合、温水暖房機の設置作業者は、作業現場において、前記連動用接続端子に接続する温水暖房機の台数により、前記リモコンの所定操作に応じて連動して作動させる温水暖房機の台数を任意に設定することができる。そのため、前記リモコンの所定操作に応じて連動して作動させる温水暖房機の設置台数に応じて、該設置台数に適応した専用の仕様の前記熱源機を別個に用意する必要がない。
【００１０】
また、前記複数の接続端子のうちの少なくとも１個を前記連動用接続端子とし、他の接続端子を一定の順序をもって配置して、該一定の順序をもって配置された接続端子のうち、通信ケーブルを介して前記温水暖房機が接続された最も先頭側の接続端子を前記連動用接続端子としたことを特徴とする。
【００１１】
かかる本発明によれば、温水暖房機の設置作業者は、前記リモコンの所定操作に応じて連動して作動させる温水暖房機の１台目を、前記一定の順序をもって配置された接続端子に接続された温水暖房機の中で、最も先頭側の接続端子に接続されるように配線する。また、前記リモコンの所定操作に応じて作動させる温水暖房機が２台以上である場合には、温水暖房機の設置作業者は、２台目以降の温水暖房機を前記一定の順序をもって配置された接続端子とは別個に用意された前記連動用接続端子に接続する。これにより、温水暖房機の設置作業者は、前記リモコンの所定操作に応じて連動して作動させる温水暖房機と、前記リモコンの操作に依らずに作動させる温水暖房機を、容易に設定することができる。
【００１２】
また、前記複数の接続端子を一定の順序をもって配置し、通信ケーブルを介して前記温水暖房機が接続された接続端子のうち、最も先頭側の接続端子から間隔を空けることなく前記順序で連続した接続端子までを前記連動用接続端子としたことを特徴とする。
【００１３】
かかる本発明によれば、前記温水暖房機の設置作業者は、先ず、前記リモコンの所定操作に応じて連動して作動させる温水暖房機を、前記一定の順序で配置された接続端子のうちのいずれか１個から間隔を空けることなく連続して接続することで、該連続した接続端子を前記連動用接続端子とすることができる。そして、次に、設置作業者は、このように連続して温水暖房機が接続された接続端子から１個以上の間隔を空けて後に配置された接続端子に前記リモコンの所定操作に依らずに作動させる温水暖房機を通信ケーブルを介して接続すればよい。この場合、前記連動用接続端子の個数が、前記リモコンの所定操作に応じて連動して作動させる温水暖房機の台数に応じて可変するため、温水暖房機の設置仕様に応じた個数の前記連動用接続端子を予め用意する必要がなく、前記熱源機の汎用性を高めることができる。
【００１４】
また、前記接続端子に通信ケーブルを介して接続された温水暖房機との通信により、該温水暖房機の種類が前記リモコンの所定操作に応じて連動して作動させる対象となる特定種類であるか否かを判別する暖房機種類判別手段を備え、前記連動運転指示手段は、前記暖房機種類判別手段により、前記連動用接続端子に通信ケーブルを介して接続された温水暖房機の種類が前記特定種類であると判別されたときにのみ、該温水暖房機に対して前記暖房運転の開始指示信号を送信することを特徴とする。
【００１５】
かかる本発明によれば、前記特定種類ではない種類の温水暖房機を前記連動用接続端子に接続したときは、該温水暖房機に対して前記暖房運転の開始指示信号は送信されない。そのため、前記連動用接続端子に前記リモコンの所定操作に依らずに作動させる温水暖房機を接続して使用することができる。これにより、前記熱源機の汎用性を高めることができる。
【００１６】
また、前記接続端子に通信ケーブルを介して接続された温水暖房機との通信により、該温水暖房機の種類が前記リモコンの所定操作に応じて連動して作動させる対象となる特定種類であるか否かを判別する暖房機種類判別手段を備え、前記複数の接続端子のうちの少なくとも１個を前記連動用接続端子とし、他の接続端子を一定の順序をもって配置して、該一定の順序をもって配置された接続端子のうち、前記暖房機種類判別手段により前記特定種類であると判別された温水暖房機が接続された接続端子の中で、最も先頭側の接続端子を前記連動用接続端子としたことを特徴とする。
【００１７】
かかる本発明によれば、温水暖房機の設置作業者は、前記一定の順序をもって配置された接続端子に接続する温水暖房機のうちで前記特定種類の温水暖房機が１台であるときは、各温水暖房機を前記一定の順序をもって配置された接続端子の中から任意に選択した接続端子に接続することにより、前記リモコンの所定操作に応じて該特定種類の温水暖房機を連動して作動させることができる。また、前記一定の順序をもって配置された接続端子に接続する前記特定種類の温水暖房機が２台以上であるときには、温水暖房機の設置作業者は、該２台以上の前記特定種類の温水暖房機のうちで、前記リモコンの所定操作に応じて連動して作動させる１台の温水暖房機を、他の特定種類の温水暖房機よりも先頭側の接続端子に接続するという条件を満たして設置すればよい。この場合、温水暖房機の接続作業者は、前記特定種類以外の温水暖房機については、接続端子を任意に選択して設置することができる。そのため、予め前記連動用接続端子を固定して設ける場合よりも、温水暖房機の設置作業が容易になると共に、前記リモコンの所定操作に応じて連動して作動させる前記特定種類の温水暖房機を接続すべき接続端子の選択ミスが生じることを抑制することができる。
【００１８】
また、前記リモコンの所定操作に応じて作動させる温水暖房機が２台以上であるときには、温水暖房機の設置作業者は、２台目以降の温水暖房機を前記一定の順序をもって配置された接続端子とは別個に備えられた前記連動用接続端子に接続する。これにより、温水暖房機の設置作業者は、前記リモコンの所定操作に応じて連動して作動させる温水暖房機と、前記リモコンの操作に依らずに作動させる温水暖房機を、容易に設定することができる。さらに、前記一定の順序をもって配置された接続端子のいずれにも前記特定種類の温水暖房機を接続しないときには、温水暖房機の設置作業者は、前記一定の順序をもって配置された接続端子全てに、前記リモコンの所定操作に依らずに作動させる温水暖房機を接続することができる。これにより、前記熱源機の汎用性を高めることができる。
【００１９】
また、前記接続端子に通信ケーブルを介して接続された温水暖房機との通信により、該温水暖房機の種類が前記リモコンの所定操作に応じて連動して作動させる対象となる特定種類であるか否かを判別する暖房機種類判別手段を備え、前記複数の接続端子を一定の順序をもって配置し、前記暖房機種類判別手段により前記特定種類であると判別された温水暖房機が接続された接続端子のうち、最も先頭側の接続端子から間隔を空けることなく前記順序で連続した接続端子までを前記連動用接続端子としたことを特徴とする。
【００２０】
かかる本発明によれば、温水暖房機の設置作業者は、前記リモコンの所定操作に応じて連動して作動させる前記特定種類の温水暖房機の１台目を前記一定の順序をもって配置された接続端子のうちのいずれかに接続する。そして、前記リモコンの所定操作に応じて連動して作動させる前記特定種類の温水暖房機を２台以上設置する場合には、温水暖房機の設置作業者は、２台目以降の前記特定種類の温水暖房機を１台目を接続した接続端子から間隔を空けることなく前記順序で連続した接続端子に順次接続すればよい。そのため、予め前記連動用接続端子を固定して設ける場合よりも、該温水暖房機を接続すべき接続端子の選択ミスが生じることを抑制することができると共に、前記連動用接続端子の個数を前記特定種類の温水暖房機の設置台数に応じて設定することができる。
【００２１】
【発明の実施の形態】
本発明の実施の形態について、図１〜４を参照して説明する。図１は本発明の第１の実施の形態における熱源機と温水暖房機の接続態様図、図２は本発明の第１の実施の形態における連動対象暖房機の設定処理のフローチャート、図３は本発明の第２の実施の形態における熱源機と暖房機の接続態様図、図４，５は本発明の第２の実施の形態における連動対象暖房機の設定処理のフローチャートである。
【００２２】
先ず、図１，２を参照して、本発明の第１の実施の形態について説明する。図１に示した熱源機１は、給水管（図示しない）から供給される水を給湯用熱交換器（図示しない）により加熱して浴室や台所等まで連通した給湯管（図示しない）に出湯する給湯機能と、暖房用熱交換器（図示しない）で加熱した温水をポンプ（図示しない）により温水供給管（図示しない）を介して温水暖房機に供給する暖房機能とを有し、熱源機１の全体的な作動を制御するコントローラ２（本発明の連動運転指示手段と暖房機種類判別手段の機能を含む）と、温水暖房機を通信ケーブルを介して接続するための接続端子ユニット３（本発明の通信接続手段に相当する）とを備えている。なお、前記暖房用熱交換器とポンプにより本発明の温水供給手段が構成される。
【００２３】
接続端子ユニット３には、１〜１０の番号順（本発明の一定の順序に相当する）で１０個の接続端子Ｃ１〜Ｃ１０が配置されており、図１では、３番目の接続端子Ｃ３に通信ケーブルＴ３を介して浴室暖房機５が接続され、４番目の接続端子Ｃ４に通信ケーブルＴ４を介してリビング暖房機６が接続され、６番目の接続端子Ｃ６に通信ケーブルＴ６を介して床暖房機７が接続され、７番目の接続端子Ｃ７に通信ケーブルＴ７を介して床暖房機８が接続され、１０番目の接続端子Ｃ１０に通信ケーブルＴ１０を介して脱衣室暖房機９が接続されている。
【００２４】
ここで、浴室暖房機５、リビング暖房機６、床暖房機７、床暖房機８、及び脱衣室暖房機９は、熱源機１から温水循環路を介して供給される温水を熱源として室内を暖房する温水暖房機である。そして、熱源機１は、各温水暖房機５〜９から暖房運転の開始信号を通信ケーブルを介して受信したときに、該開始信号を送信した暖房機に対する温水の供給を開始する。
【００２５】
また、熱源機１は、浴槽（図示しない）に自動湯張りをする機能、及び浴槽内の湯水を追焚きする機能を有している。そして、熱源機１は、熱源機１を遠隔操作するために浴室内に設けられた風呂リモコン２０とリモコンケーブル２１を介して通信可能に接続されている。なお、熱源機１と風呂リモコン２０とにより、本発明の温水供給装置が構成される。
【００２６】
風呂リモコン２０には、熱源機１の運転状況等を表示するディスプレイ２５、浴槽への自動湯張りを指示する自動湯張りスイッチ２６、浴槽内の湯の追焚きを指示する追焚きスイッチ２７、給湯温度を設定する給湯温度スイッチ２８、自動湯張りの湯量を設定する湯量スイッチ２９、自動湯張りの湯温を設定する風呂温度スイッチ３０、熱源機１を運転状態と運転待機状態とに切替える運転スイッチ３１、自動湯張りスイッチ２６や追焚きスイッチ２７の操作に応じて、予め設定された温水暖房機（以下、連動対象暖房機という）を連動して作動させる「連動モード」と連動して作動させない「非連動モード」とを切替える連動スイッチ３２、及び連動対象暖房機の暖房運転の開始／停止を指示する暖房スイッチ３３を備えている。
【００２７】
そして、熱源機１は、連動対象暖房機を容易に設定するための機能を備えている。以下、図２に示したフローチャートに従ってこの機能について説明する。
【００２８】
熱源機１に備えられたコントローラ２は、熱源機１への電源供給が開始されると作動を開始し、図２に示したＳＴＥＰ１からＳＴＥＰ２に進んで連動対象暖房機を設定する処理を開始する。
【００２９】
コントローラ２は、先ずＳＴＥＰ２でカウンタ変数ｉに１をセットする。そして、コントローラ２は、次のＳＴＥＰ３でｉ番目の接続端子Ｃｉ（ｉ＝１〜９、図１参照）に通信ケーブルを介して温水暖房機が接続されていることが確認されるか、或いはＳＴＥＰ４でｉ＝９となって９番目の接続端子Ｃ９までの接続確認が終了するまで、ＳＴＥＰ５でｉをインクリメントしながらＳＴＥＰ３〜ＳＴＥＰ５のループを繰り返し実行する。
【００３０】
なお、接続端子Ｃｉに通信ケーブルを介して温水暖房機が接続されているか否かの確認は、コントローラ２から接続端子Ｃｉに接続確認信号を送信したときに、該接続確認信号に対する応答信号が接続端子Ｃｉを介して受信されるか否かによって行う。
【００３１】
ＳＴＥＰ３で、ｉ番目の接続端子Ｃｉに温水暖房機が接続されていることが確認されたときは、コントローラ２はＳＴＥＰ１０に分岐し、接続された温水暖房機との通信により、該温水暖房機の種類が風呂リモコン２０の所定操作に応じて連動して作動させる対象として予め定められた特定種類（例えば浴室暖房機と脱衣室暖房機）であるか否かを判別する。なお、ＳＴＥＰ１０において、コントローラ２が温水暖房機の種類が前記特定種類であるか否かを判別する機能が、本発明の暖房機種類判別手段に相当する。
【００３２】
そして、ｉ番目の接続端子Ｃｉに接続された温水暖房機の種類が前記特定種類であったときは、ＳＴＥＰ１１に進んで、コントローラ２は、該温水暖房機を連動対象暖房機として設定する。なお、この場合、接続端子Ｃｉは本発明の連動用接続端子に相当する。
【００３３】
一方、ＳＴＥＰ１０で、ｉ番目の接続端子Ｃｉに接続された温水暖房機が前記特定種類でなかったときには、ＳＴＥＰ４に分岐して、コントローラ２は、再びＳＴＥＰ３〜ＳＴＥＰ５のループを実行する。
【００３４】
以上説明した処理により、９個の接続端子Ｃ１〜Ｃ９のいずれかに通信ケーブルを介して接続された前記特定種類の温水暖房機のうち、最も小さい番号が付された接続端子に接続された温水暖房機が連動対象暖房機として設定される。図１に示した例では、温水暖房機が接続された接続端子Ｃ３，Ｃ４，Ｃ６，Ｃ７のうち、接続端子Ｃ３に接続された前記特定種類の温水暖房機である浴室暖房機５が連動対象暖房機として設定される。
【００３５】
この場合、浴室暖房機５の設置作業者は、予め定められた特定の接続端子に浴室暖房機５を接続する必要はなく、Ｃ１〜Ｃ９のうちの任意の接続端子に浴室暖房機５を接続すればよい。
【００３６】
そのため、設置作業者は、浴室暖房機５、リビング暖房機６、床暖房機７、及び床暖房機８を、Ｃ１〜Ｃ９の接続端子のいずれかに接続すればよい。これにより、予め定められた特定の接続端子に浴室暖房機５を接続する仕様としたときに生じ易い接続端子の選択ミス（本来接続端子Ｃ１に接続すべきところを接続端子Ｃ２に接続してしまうようなミス）を防止することができる。
【００３７】
また、１０番目の接続端子Ｃ１０は、上述した図２に示した処理により設定された連動対象暖房機とは別に、２台目の連動対象暖房機を設定するために用意されたものである。コントローラ２は、接続端子Ｃ１０に暖房機が接続されているか否かを確認し、前記特定種類の温水暖房機が接続されていた場合には、該温水暖房機を連動対象暖房機として設定する。なお、この場合、接続端子Ｃ１０は本発明の連動用接続端子に相当する。図１の場合は、接続端子Ｃ１０に通信ケーブルＴ１０を介して前記特定種類の温水暖房機である脱衣室暖房機９が接続されているため、コントローラ２は、脱衣室暖房機９を連動対象暖房機として設定する。
【００３８】
なお、接続端子Ｃ１０を他の接続端子Ｃ１〜Ｃ９と異なる色で着色し、これにより、接続端子Ｃ１０が２台目の連動対象暖房機を接続するための専用端子であることを明確にして、温水暖房機の設置作業者による接続端子の選択ミスを防止するようにしてもよい。
【００３９】
そして、コントローラ２は、前記「連動モード」で自動湯張りスイッチ２６又は追焚きスイッチ２７が操作（本発明のリモコンの所定操作に相当する）されてリモコン２０からの連動運転の開始指示信号を受信したとき、及び暖房スイッチ３３がＯＮ操作（本発明のリモコンの所定操作に相当する）されてリモコン２０からの連動運転の開始指示信号を受信したときに、連動対象暖房機として設定された温水暖房機（図１の場合は浴室暖房機５と脱衣室暖房機９）に対して、暖房運転の開始指示信号を送信し、これにより連動対象暖房機として設定された温水暖房機が暖房運転を開始する。
【００４０】
なお、本第１の実施の形態では、２台の連動対象暖房機を設定するために、１個の接続端子Ｃ１０を予め本発明の連動用接続端子として用意したが、２個以上の接続端子を連動用接続端子として予め用意してもよい。これにより、例えば、浴室や脱衣室に設置された床暖房機を通信ケーブルを介して連動用接続端子に接続することにより、該床暖房機を浴室暖房機５及び脱衣室暖房機９と共に、連動して作動させることができる。
【００４１】
また、本第１の実施の形態では、図２のＳＴＥＰ１０で各接続端子に接続された温水暖房機の種類を判別する処理を行ったが、該処理を行わずに、温水暖房機が接続された接続端子のうち、最も小さい番号が付された接続端子を連動用接続端子とする場合にも本発明の効果を得ることができる。さらに、このようにして特定される連動用接続端子に接続された温水暖房機との通信によって、該温水暖房機が前記特定種類の温水暖房機であるか否かを判別し、前記特定種類の温水暖房機であったときにのみ、該温水暖房機を前記連動対象暖房機として設定して暖房運転の開始指示信号を送信するようにしてもよい。
【００４２】
次に、図３〜５を参照して、本発明の第２の実施の形態について説明する。なお、上述した第１の実施の形態と同様の構成については、同一の符号を付して説明を省略する。
【００４３】
図３を参照して、第２の実施の形態は、接続端子ユニット３に通信ケーブルを介して接続された温水暖房機の中から、連動対象暖房機を設定する処理の内容が上述した第１の実施の形態と相違する。そして、図１と異なり、連動対象暖房機である浴室暖房機５と脱衣室暖房機９が、それぞれ通信ケーブルＴ２，Ｔ３を介して接続端子Ｃ２，Ｃ３に接続されている。また、連動対象暖房機でないリビング暖房機６と床暖房機７と床暖房機８が、それぞれ通信ケーブルＴ６，Ｔ８，Ｔ１０を介して接続端子Ｃ６，Ｃ８，Ｃ１０に接続されている。
【００４４】
以下、図４〜５に示したフローチャートに従って、コントローラ２による連動対象暖房機を設定する処理について説明する。コントローラ２は、熱源機１への電源供給が開始されると作動を開始し、ＳＴＥＰ２０からＳＴＥＰ２１に進んでカウンタ変数ｉに１をセットする。
【００４５】
そして、コントローラ２は、次のＳＴＥＰ２２でｉ番目の接続端子Ｃｉ（ｉ＝１〜１０、図３参照）に通信ケーブルを介して温水暖房機が接続されていることが確認されるか、或いはＳＴＥＰ２３で１０番目の接続端子Ｃ１０までの接続確認が終了するまで、ＳＴＥＰ２４でｉをインクリメントしながらＳＴＥＰ２２〜ＳＴＥＰ２４のループを繰り返し実行する。
【００４６】
なお、接続端子Ｃｉに通信ケーブルを介して温水暖房機が接続されているか否かの確認は、上述した第１の実施の形態と同様に、コントローラ２から接続端子Ｃｉに接続確認信号を送信したときに、該接続確認信号に対する応答信号が接続端子Ｃｉを介して受信されるか否かによって行う。
【００４７】
ＳＴＥＰ２２で、ｉ番目の接続端子Ｃｉに温水暖房機が接続されていることが確認されたときは、コントローラ２はＳＴＥＰ２５に分岐し、接続された温水暖房機との通信により、該温水暖房機の種類が風呂リモコン２０の所定操作に応じて連動して作動させる対象として予め定められた特定種類（例えば浴室暖房機と脱衣室暖房機）であるか否かを判別する。なお、ＳＴＥＰ２５及び後述する図５のＳＴＥＰ３４において、コントローラ２が温水暖房機の種類が前記特定種類であるか否かを判別する機能が、本発明の暖房機種類判別手段に相当する。
【００４８】
そして、ｉ番目の接続端子Ｃｉに接続された温水暖房機の種類が前記特定種類であったときは、図５のＳＴＥＰ３０に進んで、コントローラ２は、該温水暖房機を連動対象暖房機として設定する。なお、この場合、接続端子Ｃｉは本発明の連動用接続端子に相当する。
【００４９】
一方、図４のＳＴＥＰ２５で、ｉ番目の接続端子Ｃｉに接続された温水暖房機が前記特定種類でなかったときには、ＳＴＥＰ２３に分岐して、コントローラ２は、再びＳＴＥＰ２２からＳＴＥＰ２４のループを実行する。
【００５０】
コントローラ２は、ＳＴＥＰ３０で、ｉ番目の接続端子Ｃｉに接続された温水暖房機を連動対象暖房機として設定したときは、ＳＴＥＰ３１に進んで、ＳＴＥＰ３１でｉ＝１０となって１０番目の接続端子Ｃ１０までの接続確認が終了するか、ＳＴＥＰ３３でｉ番目の接続端子Ｃｉに温水暖房機が接続されていないことが確認されるか、ＳＴＥＰ３４でｉ番目の接続端子Ｃｉに前記特定種類でない温水暖房機が接続されていることが確認されるまで、ＳＴＥＰ３２でｉをインクリメントしながらＳＴＥＰ３１〜ＳＴＥＰ３５のループを繰り返し実行する。
【００５１】
この場合、通信ケーブルを介して前記特定種類の温水暖房機が接続された接続端子のうちで、最も小さい番号が付された接続端子から間隔を空けることなく連続した接続端子までが本発明の連動用接続端子に相当する。そして、該連動用接続端子に接続された前記特定種類の温水暖房機が連動対象暖房機として設定される。
【００５２】
そのため、温水暖房機の設置作業者は、先ず、連動対象暖房機として設定する温水暖房機を一定の順序で配置された接続端子に、間隔を空けることなく連続して接続する。そして、次に、空いている接続端子に連動対象暖房機として設定しない温水暖房機を接続することによって、各温水暖房機を連動対象暖房機とするか否かを容易に設定することができる。
【００５３】
図３に示した例では、特定種類（浴室暖房機と脱衣室暖房機）である浴室暖房機５と脱衣室暖房機９が、それぞれ通信ケーブルＴ２，Ｔ３を介して２番目の接続端子Ｃ２と３番目の接続端子Ｃ３に接続されている。そのため、図４に示したフローチャートにおいては、ｉ＝２でＳＴＥＰ２２からＳＴＥＰ２５に分岐し、さらに図５のＳＴＥＰ３０に分岐して、ｉ＝２について浴室暖房機５が連動対象暖房機として設定される。また、ｉ＝３について、ＳＴＥＰ３１〜ＳＴＥＰ３５のループのＳＴＥＰ３５で、脱衣室暖房機９が連動対象暖房機として設定される。
【００５４】
また、図３では、４番目の接続端子Ｃ４と５番目の接続端子Ｃ５を空けて、６番目の接続端子Ｃ６に通信ケーブルＴ６を介してリビング暖房機６が接続され、８番目の接続端子Ｃ８に通信ケーブルＴ８を介して床暖房機７が接続され、１０番目の接続端子Ｃ１０に通信ケーブルＴ１０を介して床暖房機８が接続されている。
【００５５】
そのため、図５に示したフローチャートにおいては、ｉ＝４となったときに、ＳＴＥＰ３３からＳＴＥＰ４０に進んで処理が終了し、リビング暖房機６、床暖房機７、及び床暖房機８は連動対象暖房機として設定されない。
【００５６】
このように、本第２の実施の形態における連動対象暖房機の設定処理によれば、連動用接続端子の個数が予め限定されず、接続端子Ｃ１〜Ｃ１０のうちのＣ１側から連続した任意の個数の接続端子を連動用接続端子とすることができる。例えば、図３の例では接続端子Ｃ２とＣ３が連動用接続端子となっているが、浴室内にもう１台温水暖房機を追加して連動して作動させるときには、接続端子Ｃ３の次の接続端子Ｃ４に追加する連動対象暖房機を接続すればよい。これにより、接続端子Ｃ２，Ｃ３，Ｃ４が連動用接続端子となる。
【００５７】
そして、コントローラ２は、前記「連動モード」で自動湯張りスイッチ２６又は追焚きスイッチ２７が操作されてリモコン２０からの連動運転の開始指示信号を受信したとき、及び暖房スイッチ３３がＯＮ操作されてリモコン２０からの連動運転の開始指示信号を受信したときに、連動対象暖房機として設定された温水暖房機（図３の場合は浴室暖房機５と脱衣室暖房機９）に対して、暖房運転の開始指示信号を送信し、これにより連動対象暖房機として設定された温水暖房機が暖房運転を開始する。
【００５８】
本第２の実施の形態では、図４のＳＴＥＰ２５と図５のＳＴＥＰ３４で、接続端子Ｃ１〜Ｃ１０に接続された温水暖房機の種類を判別する処理を行ったが、該処理を行わずに、温水暖房機が接続された接続端子のうち、最も小さい番号が付された接続端子から間隔を空けることなく連続する接続端子までを、連動用接続端子とする場合にも本発明の効果を得ることができる。さらに、このようにして特定される連動用接続端子に接続された温水暖房機との通信によって、該温水暖房機が前記特定種類の温水暖房機であるか否かを判別し、前記特定種類の温水暖房機であったときにのみ、該温水暖房機を前記連動対象暖房機として設定して暖房運転の開始指示信号を送信するようにしてもよい。
【００５９】
なお、上述した第１及び第２の実施の形態では、通信ケーブルを介して暖房機が接続された接続端子のうち、最も小さい番号が付された接続端子を連動用接続端子としたが、連動用接続端子を予め特定の接続端子に固定して設定してもよい。
【００６０】
また、上記第１及び第２の実施の形態では、本発明のリモコンとして浴室に設けられた風呂リモコンを用い、風呂リモコンに設けられたスイッチの操作に応じて浴室暖房機５と脱衣室暖房機９を連動して作動させる例を示したが、他の例として、リビングに設けられたリモコンに設けられたスイッチの操作に応じて、リビングに設けられた複数台の温水暖房機（温風暖房機と床暖房機等）を連動して作動させる場合にも本発明の適用が可能である。
【００６１】
また、上記第１及び第２の実施の形態では、接続端子Ｃ１〜Ｃ１０に１〜１０の昇順（本発明の一定の順序に相当する）に数字の番号が付された接続端子ユニット３を示したが、降順の数字の番号やアルファベット順の番号を付した場合や、特に番号を付さない場合であっても、一定の順序で接続端子が配置されている接続端子ユニットであれば本発明の適用が可能である。
【図面の簡単な説明】
【図１】第１の実施の形態における熱源機と温水暖房機の接続態様図。
【図２】第１の実施の形態における連動運転の対象とする温水暖房機の登録処理のフローチャート。
【図３】第２の実施の形態における熱源機と温水暖房機の接続態様図。
【図４】第２の実施の形態における連動対象暖房機の設定処理のフローチャート。
【図５】第２の実施の形態における連動対象暖房機の設定処理のフローチャート。
【符号の説明】
１…熱源機、２…コントローラ、３…接続端子ユニット、Ｃ１〜Ｃ１０…接続端子、５…浴室暖房機、６…リビング暖房機、７，８…床暖房機、９…脱衣室暖房機、２０…風呂リモコン、２６…自動湯張りスイッチ、２７…追焚きスイッチ、３３…暖房スイッチ
【図１】
0003701641.tif 000002
【図２】
0003701641.tif 000003
【図３】
0003701641.tif 000004
【図４】
0003701641.tif 000005
【図５】
0003701641.tif 000006